(57)【要約】【課題】コンピュータ処理専用の画像データおよびこの画像データを情報源とするデジタルビデオ機器専用の画像データを記録媒体に記録する際に、画像データの記録容量の確認を容易に行う。【解決手段】デジタルカメラにおいて取得した第１の画像データおよび第１の画像データを変換することにより得たＤＶＤ−Ｖｉｄｅｏ形式またはＶｉｄｅｏ−ＣＤ形式の第２の画像データをブランク記録媒体５Ｃに記録する際に、第１および第２の画像データの記録容量を算出し、これをモニタ５９に表示する。記録容量の表示結果に基づいて、画像データの記録を行うユーザは、記録媒体の記録容量を超えないように、記録する画像データの数の削減、容量の削減等を行うことができる。【選択図】　　　　　図５
2004064201.tif 000002
【特許請求の範囲】
【請求項１】
コンピュータ処理専用の第１の画像データおよび該第１の画像データを情報源とするデジタルビデオ機器専用の第２の画像データを記録媒体に記録する画像記録方法であって、
前記第１の画像データについての第１の記録容量および前記第２の画像データについての第２の記録容量を算出し、
前記第１および前記第２の記録容量を表示手段に表示することを特徴とする画像記録方法。
【請求項２】
コンピュータ処理専用の第１の画像データおよび該第１の画像データを情報源とするデジタルビデオ機器専用の第２の画像データを記録媒体に記録する画像記録装置であって、
前記第１の画像データについての第１の記録容量および前記第２の画像データについての第２の記録容量を算出し、
前記第１および前記第２の記録容量を表示手段に表示する表示制御手段とを備えたことを特徴とする画像記録装置。
【請求項３】
コンピュータ処理専用の第１の画像データおよび該第１の画像データを情報源とするデジタルビデオ機器専用の第２の画像データを記録媒体に記録する画像記録方法をコンピュータに実行させるためのプログラムであって、
前記第１の画像データについての第１の記録容量および前記第２の画像データについての第２の記録容量を算出する手順と、
前記第１および前記第２の記録容量を表示手段に表示する手順とを有するプログラム。
【発明の詳細な説明】
【０００１】
【発明の属する技術分野】
本発明は、例えばデジタルカメラにより取得したコンピュータ読み取り可能な形式の画像データと、ＤＶＤ−ＶｉｄｅｏまたはＶｉｄｅｏ−ＣＤ形式の再生装置において読み取り可能な形式の画像データとを記録媒体に記録する画像記録方法および装置並びに画像記録方法をコンピュータに実行させるためのプログラムに関するものである。
【０００２】
【従来の技術】
デジタルカメラ等において撮影により取得したデジタルの静止画像データや動画像データは、コンピュータ読み取り可能な記録形式により、メモリカード、ＣＤ−Ｒ等の記録媒体に記録される。このため、デジタルカメラにより取得した静止画像データや動画像データ（以下単に画像データとする）を再生するためには、画像データを再生するソフトウェアをインストールしたコンピュータを起動する必要があり、画像データを閲覧するのが非常に面倒である。また、コンピュータが設備として必要となり、さらには画像データの閲覧ソフトウェアをコンピュータにインストールする必要がある。
【０００３】
このため、コンピュータ処理専用の画像データを記録した第１の画像領域およびこの画像データを情報源とするデジタルビデオ機器専用の画像データを記録した第２の画像領域とを備えた記録媒体が提案されている。この記録媒体を用いることにより、コンピュータのみならず、ＤＶＤプレーヤーのようなデジタルビデオ機器においても、デジタルカメラにおいて取得した画像と同一の画像をデジタルビデオ機器に接続されたテレビにおいて再生することができることとなる。
【０００４】
ところで、記録媒体に画像データを記録する際には、コンピュータにインストールされたライティングソフトウェアが用いられる。このようなライティングソフトウェアは、デジタルカメラにおいて取得した画像データのサムネイル画像を一覧表示し、記録媒体に書き込む画像データの選択を受け付け、さらに書き込み指示を受け付けることにより、選択された画像データを記録媒体に書き込むものである。この際、選択した画像データの記録容量がコンピュータに接続されたモニタに表示されるため、書き込む画像データを取捨選択したり、画像データの品質を調整したり、音声データを書き込む場合には音声データの時間を削減したりして、記録媒体の総容量を超えないように、画像データを選択することができる。
【０００５】
【発明が解決しようとする課題】
しかしながら、上述したようにコンピュータ処理専用の画像データおよびこの画像データを情報源とするデジタルビデオ機器専用の画像データを記録媒体に記録する場合には、双方の画像データについての記録容量を確認する術がないため、これらの画像データを記録媒体に記録する際に、どのようにして記録する画像データの数や品質を調整したらよいか全く分からないのが現状である。このため、画像データの記録を開始してから容量オーバーのエラーが生じたり、最悪の場合記録媒体を無駄にしてしまうという問題がある。
【０００６】
本発明は上記事情に鑑みなされたものであり、コンピュータ処理専用の画像データおよびこの画像データを情報源とするデジタルビデオ機器専用の画像データを記録媒体に記録する際に、画像データの記録容量の確認を容易に行うことを目的とする。
【０００７】
【課題を解決するための手段】
本発明による画像記録方法は、コンピュータ処理専用の第１の画像データおよび該第１の画像データを情報源とするデジタルビデオ機器専用の第２の画像データを記録媒体に記録する画像記録方法であって、
前記第１の画像データについての第１の記録容量および前記第２の画像データについての第２の記録容量を算出し、
前記第１および前記第２の記録容量を表示手段に表示することを特徴とするものである。
【０００８】
本発明による画像記録装置は、コンピュータ処理専用の第１の画像データおよび該第１の画像データを情報源とするデジタルビデオ機器専用の第２の画像データを記録媒体に記録する画像記録装置であって、
前記第１の画像データについての第１の記録容量および前記第２の画像データについての第２の記録容量を算出し、
前記第１および前記第２の記録容量を表示手段に表示する表示制御手段とを備えたことを特徴とするものである。
【０００９】
なお、本発明による画像記録方法をコンピュータに実行させるためのプログラムとして提供してもよい。
【００１０】
【発明の効果】
本発明によれば、コンピュータ処理専用の第１の画像データおよび第１の画像データを情報源とするデジタルビデオ機器専用の第２の画像データを記録媒体に記録する際に、第１の画像データについての第１の記録容量および第２の画像データについての第２の記録容量が算出され、第１および第２の記録容量が表示手段に表示される。このため、表示手段に表示された第１および第２の記録容量を参照することにより、第１および第２の画像データの数の増減、画質の変更等を行い、記録媒体の容量を超えないように第１および第２の画像データを記録媒体に記録することが可能となる。
【００１１】
【発明の実施の形態】
以下図面を参照して本発明の実施形態について説明する。図１は本実施形態により画像データが記録された記録媒体のデータ構成を示すデータマップであり、図１（ａ）はＤＶＤ方式の記録媒体、図１（ｂ）はＣＤ方式の記録媒体を示す。
【００１２】
本実施形態により画像データが記録された記録媒体のデータ構成は、図１（ａ）に示すＤＶＤ方式の記録媒体の場合、ＤＶＤ−ＲＯＭ１内にＤＶＤ−Ｖｉｄｅｏ再生装置用の画像領域１１と、コンピュータ処理用の画像領域１２とを含む。また、図１（ｂ）に示すＣＤ方式の記録媒体の場合、ＣＤ−ＲＯＭ２内に、Ｖｉｄｅｏ−ＣＤ再生装置用の画像領域２１と、コンピュータ処理用の画像領域２２とを含む。
【００１３】
ＤＶＤ−Ｖｉｄｅｏ再生装置用の画像領域１１には、ＤＶＤ−Ｖｉｄｅｏ再生装置で再生することが可能なデータ形式を備えたデジタルの画像データ（以下、ＤＶＤ−Ｖｉｄｅｏ形式の画像データとする）が書き込まれ、Ｖｉｄｅｏ−ＣＤ再生装置用の画像領域２１には、Ｖｉｄｅｏ−ＣＤ再生装置で再生することが可能なデータ形式を備えたデジタルの画像データ（以下Ｖｉｄｅｏ−ＣＤ形式の画像データとする）が書き込まれている。コンピュータ処理用の画像領域１２，２２には、パソコン等のコンピュータを使用して、記録、再生、およびプリントが可能なデータ形式を備えたデジタルの画像データが書き込まれている。
【００１４】
コンピュータ処理用の画像領域１２，２２には、デジタルカメラのファイル規格であるＤＣＦ（Ｄｅｓｉｇｎ　ｒｕｌｅ　ｆｏｒ　Ｃａｍｅｒａ　Ｆｉｌｅ　ｓｙｓｔｅｍ）に則り、画像データを記録する。プリント用の画像データを特定するため、ＤＣＦ規格のコマ番号を利用することにより、外部にプリント依頼する場合の画像データの特定が可能となる。
【００１５】
図２は、本実施形態により画像データが記録された記録媒体の画像領域のデータ構成を示すデータマップであり、図２（ａ）は、ＤＶＤ−Ｖｉｄｅｏ再生装置用の画像領域１１の、図２（ｂ）はＶｉｄｅｏ−ＣＤ再生装置用の画像領域２１の、図２（ｃ）はコンピュータ処理用の画像領域１２の、図２（ｄ）はコンピュータ処理用の画像領域２２のデータ構成をそれぞれ示す。
【００１６】
図２（ａ）において、ＤＶＤ−Ｖｉｄｅｏ再生装置用の画像領域１１のデータ構成は、ＤＶＤ−Ｖｉｄｅｏ用ディレクトリ領域１１１と、ＤＶＤ−Ｖｉｄｅｏ用画像データ領域１１２とを含む。図２（ｂ）において、Ｖｉｄｅｏ−ＣＤ再生装置用の画像領域２１のデータ構成は、Ｖｉｄｅｏ−ＣＤ用ディレクトリ領域２１１と、Ｖｉｄｅｏ−ＣＤ用画像データ領域２１２とを含む。図２（ｃ）において、コンピュータ処理用の画像領域１２のデータ構成は、ＣＰＵ用ディレクトリ領域１２１と、ＣＰＵ用画像データ領域１２２とを含む。図２（ｄ）において、コンピュータ処理用の画像領域２２のデータ構成は、ＣＰＵ用ディレクトリ領域２２１と、ＣＰＵ用画像データ領域２２２とを含む。
【００１７】
ＤＶＤ−Ｖｉｄｅｏ用ディレクトリ領域１１１には、例えば図３（ａ）で後述するようなファイル情報が書き込まれている。また、ＤＶＤ−Ｖｉｄｅｏ用画像データ領域１１２には、ＤＶＤ−Ｖｉｄｅｏ形式の画像データが書き込まれている。
【００１８】
Ｖｉｄｅｏ−ＣＤ用ディレクトリ領域２１１には、例えば図３（ｂ）で後述するようなファイル情報が書き込まれている。また、Ｖｉｄｅｏ−ＣＤ用画像データ領域２１２には、Ｖｉｄｅｏ−ＣＤ形式の画像データが書き込まれている。
【００１９】
ＣＰＵ用ディレクトリ領域１２１には、例えば図３（ｃ）で後述するようなファイル情報が書き込まれている。また、ＣＰＵ用画像データ領域１２２には、ＤＶＤ−Ｖｉｄｅｏ再生装置を備えたコンピュータを使用して、記録、再生およびプリントすることが可能なデータ形式を備えたデジタルの画像データが書き込まれている。
【００２０】
ＣＰＵ用ディレクトリ領域２２１には、例えば図３（ｃ）で後述するようなファイル情報が書き込まれている。また、ＣＰＵ用画像データ領域２２２には、Ｖｉｄｅｏ−ＣＤ再生装置を備えたコンピュータを使用して、記録、再生およびプリントすることが可能なデータ形式を備えたデジタルの画像データが書き込まれている。
【００２１】
図３は、本実施形態により画像データが記録された記録媒体の画像領域に含まれるディレクトリ領域の情報例を示す図であり、図３（ａ）はＤＶＤ−Ｖｉｄｅｏ用ディレクトリ領域１１１に、図３（ｂ）はＶｉｄｅｏ−ＣＤ用ディレクトリ領域２１１に、図３（ｃ）はＣＰＵ用ディレクトリ領域１２１，２２１にそれぞれ含まれる情報例を示す。これらの各ディレクトリ領域には、それぞれに対応する画像データ領域に書き込まれている画像データに付与されるファイル名、画像データにアクセスするために必要な位置情報、画像データの圧縮方式、誤り訂正コードを含む符号化方式、および符号化に必要な暗号キー等の情報を書き込むことができる。
【００２２】
具体的には、ＤＶＤ用ディレクトリ領域１１１において、￥Ｖｉｄｅｏ＿ＴＳはデジタルビデオ機器用ビデオ情報のディレクトリを表し、このディレクトリには、ビデオ管理情報（ＶＩＤＥＯ＿ＴＳ．ＩＦＯ）、ビデオ管理情報バックアップ（ＶＩＤＥＯ＿ＴＳ．ＢＵＰ）、ビデオタイトルセット情報（ＶＴＳ＿０１＿０．ＩＦＯ）、タイトルのビデオオブジェクトセット情報（ＶＴＳ＿０１＿０．ＶＯＢ，ＶＴＳ＿０１＿１．ＶＯＢ，ＶＴＳ＿０１＿２．ＶＯＢ）（すなわち動画像データファイル）、およびビデオタイトルセット情報バックアップ（ＶＴＳ＿０１＿０．ＢＵＰ）が書き込まれている。
【００２３】
また、Ｖｉｄｅｏ−ＣＤ用ディレクトリ領域２１１において、￥ＭＰＥＧＡＶおよび￥ＳＥＧＭＥＮＴは動画像データファイル用のディレクトリであり、￥ＶＣＤはＶｉｄｅｏ−ＣＤ形式のファイル用のディレクトリである。ここで、ＩＮＦＯ．ＶＣＤはＶｉｄｅｏ−ＣＤ情報であり、Ｖｉｄｅｏ−ＣＤのバージョン情報やトラック構成等が記録してある。
【００２４】
また、ＣＰＵ用ディレクトリ領域１２１，２２１において、￥ＤＣＩＭはＤＣＦ規格に基づくデジタルカメラのオリジナル画像を書き込むディレクトリであり、その下位に￥１００＿ＦＵＪＩのディレクトリが作成されてここにデジタルカメラにおいて取得したＪＰＥＧ形式の静止画像データやＡＶＩ形式の動画像データが書き込まれる。また、￥ＦＰＶＩＮＤＥＸはパソコンで画像を見るためのｈｔｍｌファイルを構成する画像データを書き込むディレクトリであり、その下位に￥１００＿ＦＵＪＩのディレクトリが作成されてここにｈｔｍｌ形式のファイルや、静止画像および動画像のサムネイルファイル（ＴＨＵＭＸＸＸ．ＪＰＧ）が書き込まれる。また、￥ＴＥＭＰＬＡＴＥはｈｔｍｌファイルの部品を書き込むディレクトリである。
【００２５】
図４は、本実施形態により画像データが記録された記録媒体の画像データ領域に書き込まれる画像データの例を示す図であり、図４（ａ）はＤＶＤ−Ｖｉｄｅｏ用画像データ領域１１２に、図４（ｂ）はＶｉｄｅｏ−ＣＤ用画像データ領域２１２にそれぞれ書き込まれる画像データを示す。
【００２６】
ＤＶＤ−Ｖｉｄｅｏ用画像データ領域１１２には、ＣＰＵ用画像データ領域１２２に書き込まれている画像データの１コマ（動画像データについても１コマと称する）毎に、画像データをＤＶＤ−Ｖｉｄｅｏ形式に合わせてリサイズした画像の反復映像が記録されている。この反復記録数は、例えば画像データが静止画像を表すものである場合、各静止画像をそれぞれ例えば５秒間だけスライドショー形式の動画像として再生することが可能な数とする。
【００２７】
また、ＤＶＤ−Ｖｉｄｅｏ用画像データ領域１１２の記録に際しては、ＤＶＤの字幕ストリーム用の領域（コマ番号や撮影日時等の文字情報の記録が可能）の設定、画面切換時における各コマ間における２ワイプ、ディゾルブ等の切換エフェクトの設定、各画像データに対する音声データの設定、および音声データのフェードイン、フェードアウト等の設定を行うことが可能であり、このように設定を行うことにより、画像中に字幕を表示したり、画像再生中に音声を再生したり、画像が切り換わる際に所望の視覚効果や音声効果を与えることができる。
【００２８】
Ｖｉｄｅｏ−ＣＤ用画像データ領域２１２には、ＣＰＵ用画像データ領域２２２に書き込まれている画像データの１コマ（動画像データについても１コマと称する）毎に、画像データをＶｉｄｅｏ−ＣＤ形式に合わせてリサイズした画像の反復映像が記録されている。この反復記録数は、例えば画像データが静止画像を表すものである場合、各静止画像をそれぞれ例えば５秒間だけスライドショー形式の動画像として再生することが可能な数とする。
【００２９】
また、Ｖｉｄｅｏ−ＣＤ用画像データ領域２１２の記録に際しては、ＣＤの字幕ストリーム用の領域（コマ番号や撮影日時等の文字情報の記録が可能）の設定および各画像データに対する音声データの設定を行うことが可能であり、このように設定を行うことにより、画像中に字幕を表示したり、画像再生中に音声を再生することができる。
【００３０】
図５は、本実施形態による画像記録装置の構成を示す概略ブロック図である。本実施形態による画像記録装置は、画像データを記録する記録媒体がＤＶＤ−Ｖｉｄｅｏ再生装置用か、またはＶｉｄｅｏ−ＣＤ再生装置用かで本来詳細構成が異なるものであるが、ここでは、双方に共通の部分のブロック図を示す。
【００３１】
図５に示すように、本実施形態による画像記録装置は、画像記録装置に種々の入力を行うためのキーボードおよびマウスからなる入力装置５１と、入力装置インターフェース５２と、装置の全体を制御する制御部５３と、制御プログラムおよび制御に必要なデータを記憶する記憶部５４と、デジタルカメラにおいて取得された画像データを記録したメモリカード５Ａの内容を読み取る読取装置５５と、メモリカード５Ａに記録された画像データから選択された画像データをＤＶＤ−Ｖｉｄｅｏ再生装置用またはＶｉｄｅｏ−ＣＤ再生装置用の画像データに変換するデータ変換部５６と、変換された画像データをファイル化するとともに、メモリカード５Ａに記録された画像データから選択された画像データのファイルと併せて編集し、かつ出力するファイル編集部５７と、ファイル編集部５７からの出力をコンピュータおよびＤＶＤ−Ｖｉｄｅｏ再生装置用またはＶｉｄｅｏ−ＣＤ再生装置用のいずれでも再生可能なデータ形式でブランク記録媒体５Ｃに記録し、記録済みの記録媒体５Ｄを得る記録装置５８と、種々の表示を行うモニタ５９とを備える。
【００３２】
入力装置５１からは、メモリカード５Ａに記録された画像データのうち、ブランク記録媒体５Ｃに記録する第１の画像データの選択指示、第１の画像データをＤＶＤ−Ｖｉｄｅｏ再生装置用またはＶｉｄｅｏ−ＣＤ再生装置用の第２の画像データに変換するための変換指示等の種々の入力がなされる。また、ＤＶＤ−Ｖｉｄｅｏ再生装置用の出力がなされる場合には、「切換エフェクトを使用する」等の選択を行う。また、ＤＶＤ−Ｖｉｄｅｏ再生装置またはＶｉｄｅｏ−ＣＤ再生装置用の第２の画像データに、静止画像の１コマあたりにつき何秒間の動画像を作成するのかを指定する。
【００３３】
制御部５３は、記憶部５４に記憶されている制御プログラムを逐次ローディングして起動する。この制御プログラムには、構成要素の各々を必要に応じて制御できるように作成されている。また、制御プログラム用のＧＵＩをモニタ５９に表示し、入力装置５１からの入力により、ユーザが所望とするように制御プログラムが駆動される。
【００３４】
とくに、本実施形態においては、メモリカード５Ａに記録された画像データのうち、ブランク記録媒体５Ｃに記録するよう選択された第１の画像データの記録容量、第１の画像データをＤＶＤ−Ｖｉｄｅｏ再生装置用またはＶｉｄｅｏ−ＣＤ再生装置用に変換することにより得られた第２の画像データの記録容量を算出し、算出された記録容量をモニタ５９に表示するように制御部５３が制御プログラムにより駆動される。
【００３５】
読取装置５５は、装着されたメモリカード５Ａに記録された画像データを読み取る。
【００３６】
データ変換部５６は、第１の画像データをＤＶＤ−Ｖｉｄｅｏ再生装置用またはＶｉｄｅｏ−ＣＤ再生装置用の第２の画像データに変換する。データ変換部５６には、第１の画像データを圧縮する手段、圧縮された第１の画像データをＤＶＤ−Ｖｉｄｅｏ再生装置またはＶｉｄｅｏ−ＣＤ再生装置において再生可能なデータ形式に変換する手段、変換されたデータを入力装置５１において指定された枚数分だけ複製する手段、複製された画像データを動画表示可能なように図４に示すように配置する手段、および字幕機能等に対応したデータを配置する手段等が含まれる。
【００３７】
また、データ変換部５６は、ブランク記録媒体５Ｃに記録される第１の画像データを、入力装置５１から指示された品質を有するものとなるように調整する。なお、第１の画像データが複数ある場合には、複数の第１の画像データから選択された画像データに対して指示された品質を有するものとなるように調整が行われれる。例えば、容量を小さくするために画像を縮小する指示がなされた場合には、縮小の指示がなされた第１の画像データを縮小し、画質を低下させる指示がなされた場合には、画質低下の指示がなされた第１の画像データの画質を低下させる。
【００３８】
ファイル編集部５７は、第１の画像データをファイル化し、データ変換部５６により得られた第２の画像データにディレクトリ情報を付与してファイル化するとともに、第１の画像データのファイルと併せて編集し、その後コンピュータおよびＤＶＤ−Ｖｉｄｅｏ再生装置またはＶｉｄｅｏ−ＣＤ再生装置のいずれでも再生可能な形式の画像ファイルとして第１および第２の画像データを出力する。なお、算出される第１および第２の画像データの記録容量は、ファイル編集部５７においてファイル化された後の第１および第２の画像データの記録容量となる。
【００３９】
なお、第１のファイル化には、パソコンで第１の画像データを見るために必要なｈｔｍｌファイルの作成も含まれる。
【００４０】
記録装置５８は、ファイル編集部５７において得られた画像ファイルをブランク記録媒体５Ｃに記録し、記録済み記録媒体５Ｄを得る。
【００４１】
次いで、本実施形態の動作について説明する。図６は本実施形態において行われる処理を示すフローチャートである。まず、読取装置５５によりメモリカード５Ａに記録された画像データが読み取られ（ステップＳ１）、次いで、ブランク記録媒体５Ｃに記録する第１の画像データの選択、音声を記録する場合には音声データの選択、および第１の画像データの品質の指示（図においては単に選択および指示とする）が受け付けられる（ステップＳ２）。次いで、選択された第１の画像データが指示された品質に調整され（ステップＳ３）、品質が調整された第１の画像データが指定された枚数分だけ複製される（ステップＳ４）。
【００４２】
なお、第１の画像データが複数ある場合には、複数の第１の画像データから選択された画像データに対してステップＳ３の処理が行われる。
【００４３】
続いて、第１の画像データの記録容量を表示する処理（ステップＳ５）および第２の画像データの記録容量を表示する処理（ステップＳ６）が行われる。
【００４４】
図７は、第１の画像データの記録容量を表示する処理を示すフローチャートである。まず、第１の画像データについてファイル化した場合の容量が算出され（ステップＳ２１）、続いて、パソコンで第１の画像データを見る際に必要なｈｔｍｌファイルの部品の容量が算出される（ステップＳ２２）。さらに、第１の画像データから作成されるサムネイルファイルの容量が算出され（ステップＳ２３）、これらの容量が加算されて（ステップＳ２４）、加算結果が第１の画像データの記録容量としてモニタ５９に表示される（ステップＳ２５）。
【００４５】
図８は、第２の画像データの記録容量を表示する処理を示すフローチャートである。まず、第２の画像データの各々についてファイル化した場合の容量が算出され（ステップＳ３１）、続いて、第２の画像データの各々の容量、１秒あたりのビット数および各画像データの再生時間が乗算され（ステップＳ３２）、ステップＳ３２における乗算結果が全ての第２の画像データについて加算されるとともに、付加される音声データの容量も加算され（ステップＳ３３）、加算結果が第２の画像データの記録容量としてモニタ５９に表示される（ステップＳ３４）。
【００４６】
図９は、第１および第２の記録容量の表示例を示す図である。図９に示す表示例においては、第１の記録容量が６００ＭＢのうちの１３４．７ＭＢとなり、第２の記録容量が６００ＭＢのうちの１０２ＭＢとなることを表示してる。また、ブランク記録媒体５Ｃの総容量に占める第１および第２の記録容量の割合を視覚的に表示する容量表示バー７０が表示される。容量表示バー７０はその横方向の長さがブランク記録媒体５Ｃの総容量を、左側の斜線部分がブランク記録媒体５Ｃの総容量に占める第１の記録容量の割合を、右側の斜線部分がブランク記録媒体５Ｃの総容量に占める第２の記録容量の割合をそれぞれ示すものとなっている。
【００４７】
図６に戻り、ユーザにより第１および第２の画像データの記録容量が確認され、この記録容量でＯＫである旨の入力がなされたか否かが判定される（ステップＳ７）。ステップＳ７が否定されると、ブランク記録媒体５Ｃに記録する第１の画像データの数の削減、品質の低下、音声データの削除、音声データの短縮化等を含むデータの修正が行われ（ステップＳ８）、ステップＳ３に戻りステップＳ３以降の処理が行われる。
【００４８】
ステップＳ７が肯定されると、第１の画像データがファイル化される（ステップＳ９）。次いで、第１の画像データがＤＶＤ−Ｖｉｄｅｏ再生装置またはＶｉｄｅｏ−ＣＤ再生装置用の画像データに変換され（ステップＳ１０）、変換された画像データがスライドショー形式の動画表示が可能なように配置されて第２の画像データが取得され（ステップＳ１１）、さらにこれにディレクトリ情報が付加されて第２の画像データがファイル化される（ステップＳ１２）。続いて、ファイル化された第１および第２の画像データがコンピュータおよびＤＶＤ−Ｖｉｄｅｏ再生装置またはＶｉｄｅｏ−ＣＤ再生装置のいずれでも読み取り可能な形式のファイルとして出力され（ステップＳ１３）、さらに、記録装置５８によりブランク記録媒体５Ｃに記録され（ステップＳ１４）、記録済み記録媒体５Ｄを得て処理を終了する。
【００４９】
このように、本実施形態によれば、第１および第２の画像データの記録容量を算出し、算出された第１および第２の記録容量を例えば図９に示すようにモニタ５９に表示するようにしたため、モニタ５９に表示された第１および第２の記録容量を参照することにより、第１および第２の画像データの数の増減、画質の変更等を行い、記録媒体の容量を超えないように第１および第２の画像データを記録媒体に記録することが可能となる。
【図面の簡単な説明】
【図１】本実施形態により画像データが記録された記録媒体のデータ構成を示すデータマップ
【図２】本実施形態により画像データが記録された記録媒体の画像領域のデータ構成を示すデータマップ
【図３】本実施形態により画像データが記録された記録媒体の画像領域に含まれるディレクトリ領域の情報例を示す図
【図４】本実施形態により画像データが記録された記録媒体の画像データ領域に書き込まれる画像データの例を示す図
【図５】本実施形態による画像記録装置の構成を示す概略ブロック図
【図６】本実施形態において行われる処理を示すフローチャート
【図７】第１の画像データの記録容量を表示する処理を示すフローチャート
【図８】第２の画像データの記録容量を表示する処理を示すフローチャート
【図９】第１および第２の記録容量の表示例を示す図
【符号の説明】
１　　ＤＶＤ−ＲＯＭ
２　　ＣＤ−ＲＯＭ
１１　　ＤＶＤ−Ｖｉｄｅｏ再生装置用の画像領域
１２，２２　　コンピュータ処理用の画像領域
２１　　Ｖｉｄｅｏ−ＣＤ再生装置用の画像領域
５１　　入力装置
５２　　入力装置インターフェース
５３　　制御部
５４　　記憶部
５５　　読取装置
５６　　データ変換部
５７　　ファイル編集部
５８　　記録装置
５９　　モニタ
７０　　容量表示バー７０
１１１　　ＤＶＤ−Ｖｉｄｅｏ用ディレクトリ領域
１１２　　ＤＶＤ−Ｖｉｄｅｏ用画像データ領域
１２１，２２１　　ＣＰＵ用ディレクトリ領域
１２２，２２２　　ＣＰＵ用画像データ領域
２１１　　Ｖｉｄｅｏ−ＣＤ用ディレクトリ領域
２１２　　Ｖｉｄｅｏ−ＣＤ用画像データ領域
【図１】
2004064201.tif 000003
【図２】
2004064201.tif 000004
【図３】
2004064201.tif 000005
【図４】
2004064201.tif 000006
【図５】
2004064201.tif 000007
【図６】
2004064201.tif 000008
【図７】
2004064201.tif 000009
【図８】
2004064201.tif 000010
【図９】
2004064201.tif 000011